(57)【要約】  【課題】  この発明は、電動パーキングブレーキ装置や電動ドア等、複数の電動装置を装備する車両にあって、乗員に不安感を与えることなく、複数の電動装置の操作作業を容易に行うことができるスイッチ構造を提供することを目的とする。  【解決手段】  図２（ａ）に示すように、操作スイッチ２は、円筒状のベース体２１に円柱状の可動体２２を挿通させることで構成している。可動体の上面２２ａには乗員が押圧操作しうるように『Ｐｕｓｈ  ＯＮ／ＯＦＦ』との表示を記載し、ベース体の表面２１ａには乗員が可動体の回動位置を判別しうるように『ＰＳＤ  Ｍａｉｎ  ＳＷ』『ＥＰＢ』『Ｆｕｅｌ』の位置に対応した位置表示を記載している。  【選択図】  図２
2005112163.tif 000002
【特許請求の範囲】
【請求項１】
車両停車時に乗員の操作で車両に制動をかける電動パーキングブレーキ装置と、
車体に設けた開閉体の開閉動作を制御する開閉装置とを備え、
前記電動パーキングブレーキ装置を操作するスイッチと前記開閉装置を操作するスイッチとを一つの操作スイッチで構成した
スイッチ構造。
【請求項２】
前記電動パーキングブレーキ装置のスイッチを作動状態とした場合に、前記開閉装置のスイッチを操作できるように構成した
請求項１記載のスイッチ構造。
【請求項３】
前記開閉装置のスイッチを閉状態とした場合に、前記電動パーキングブレーキ装置のスイッチを操作できるように構成した
請求項１記載のスイッチ構造。
【請求項４】
前記操作スイッチに、軸方向で切替え操作を行うプッシュプル機構部と回転方向で切替え操作を行う回転機構部を設け、
該プッシュプル機構部を電動パーキングブレーキ装置のスイッチとして設定し、
該回転機構部を開閉装置のスイッチとして設定した
請求項１、２又は３記載のスイッチ構造。
【請求項５】
前記操作スイッチに、共に軸方向で切替え操作を行う第1プッシュプル機構部と第２プッシュプル機構部を設け、
該第１プッシュプル機構部をパーキングブレーキ装置のスイッチとして設定し、
該第２プッシュプル機構部を開閉装置のスイッチとして設定すると共に、
第１プッシュプル機構部を押し下げて電動パーキングブレーキ装置のスイッチを作動状態とした場合に、第２プッシュプル機構部を操作できるように構成した
請求項１、２又は３記載のスイッチ構造。
【請求項６】
前記開閉体を、車両後部に配置され電動開閉されるドア又はリッド部材とした
請求項１〜５記載のスイッチ構造。
【請求項７】
ドアの開閉を行うドア開閉装置と、
フューエルリッドの開閉を行うフューエルリッド開閉装置とを備え、
前記ドア開閉装置を操作するスイッチと前記フューエルリッド開閉装置を操作するスイッチとを一つの操作スイッチで構成し、
該ドア開閉装置を操作するスイッチとフューエルリッド開閉装置を操作するスイッチのうち、一方を操作した場合には、他方を操作できないように設定した
スイッチ構造。
【発明の詳細な説明】
【技術分野】
【０００１】
この発明は、車両に設置されるスイッチ構造、特に複数の電動装置等を装備する車両における操作スイッチのスイッチ構造に関する。
【背景技術】
【０００２】
従来より、車両の装備品として電動のパーキングブレーキ装置が知られている（例えば特許文献１参照）。
【０００３】
この電動パーキングブレーキ装置は、従来手動で行っていたパーキングブレーキの操作を電動モータ等の電動手段により行うものであり、乗員が操作スイッチを操作することでパーキングブレーキを作動させるものである。
【０００４】
もっとも、この電動パーキングブレーキ装置の場合、手動式のものと比較して作動状態が外観上判別しにくいため、操作忘れの問題が生じうる。
【０００５】
そこで、特許文献１で、ドアの開信号を検出した場合には、電気制御により自動的に電動パーキングブレーキ装置を作動させる技術が提案されている。
【０００６】
【特許文献１】実開昭６４−５２８６３号公報。
【発明の開示】
【発明が解決しようとする課題】
【０００７】
ところで、車両には複数の電動装置が装備されるが、この複数の電動装置には、乗員が操作を行う操作スイッチが各電動装置ごとに設けられるのが一般である。
【０００８】
前述の特許文献１の電動パーキングブレーキ装置にも、一つの操作スイッチが設けられている。
【０００９】
しかしながら、各電動装置ごとに操作スイッチを設けた場合には、乗員が複数の電動装置を連続して操作する必要が生じ、操作作業が煩わしくなるといった問題がある。
【００１０】
特に、車両停車直後時に、電動パーキングレーキ装置の作動操作と電動ドアの開閉操作等を連続して行う場合、降車したい乗員にとって、これら作業は煩わしい。
【００１１】
この問題に対し、前述の特許文献１の場合、ドアの開閉を行うことで自動的に電動パーキングブレーキ装置が作動するため、確かに煩わしさを解消できるようにも思える。
【００１２】
しかし、乗員からみれば、何ら操作を行わずに自動的に電動パーキングブレーキ装置が作動するため、実際に装置が作動しているか分からず、かえって不安になり、もう一度電動パーキングブレーキ装置の作動を確認する必要が生じる。
【００１３】
そこで、この発明は、電動パーキングブレーキ装置や電動ドア等、複数の電動装置を装備する車両にあって、乗員に不安感を与えることなく、複数の電動装置の操作作業を容易に行うことができるスイッチ構造を提供することを目的とする。
【課題を解決するための手段】
【００１４】
この発明によるスイッチ構造は、車両停車時に乗員の操作で車両に制動をかける電動パーキングブレーキ装置と、車体に設けた開閉体の開閉動作を制御する開閉装置とを備え、前記電動パーキングブレーキ装置を操作するスイッチと前記開閉装置を操作するスイッチとを一つの操作スイッチで構成したものである。
【００１５】
すなわち、一つの操作スイッチで電動パーキングブレーキ装置と開閉装置を操作できるようにしたものである。
【００１６】
上記構成によれば、一つの操作スイッチで電動パーキングブレーキ装置と開閉装置を操作できるため、車両停車直後に二つの装置の操作を一つの操作スイッチで行うことができる。
【００１７】
この発明の一実施態様においては、前記電動パーキングブレーキ装置のスイッチを作動状態とした場合に、前記開閉装置のスイッチを操作できるように構成したものである。
【００１８】
上記構成によれば、パーキングブレーキ装置のスイッチを作動状態にしなければ、開閉装置のスイッチを操作することができないため、電動パーキングブレーキ装置を作動させた状態でのみ開閉装置を操作することになる。
【００１９】
よって、車両停車直後に電動パーキングブレーキ装置と開閉装置とを操作する場合、必ず電動パーキングブレーキ装置を先に作動させてから開閉装置を操作することになるため、停車状態が確実に保持されて開閉体の操作を行うことになり安全性を向上できる。
【００２０】
この発明の一実施態様においては、前記開閉装置のスイッチを閉状態とした場合に、前記電動パーキングブレーキ装置のスイッチを操作できるように構成したものである
上記構成によれば、開閉装置のスイッチを閉状態としなければ、パーキングブレーキ装置のスイッチを操作できないため、開閉装置が閉状態でのみ電動パーキングブレーキ装置を操作することになる。
【００２１】
よって、車両発車時等に電動パーキングブレーキ装置と開閉装置とを操作する場合には、必ず開閉装置を先に閉状態にしてから電動パーキングブレーキ装置を操作することになるため、開閉体が確実に閉じられてからパーキングブレーキの操作を行うことになり、安全性を向上できる。
【００２２】
この発明の一実施態様においては、前記操作スイッチに、軸方向で切替え操作を行うプッシュプル機構部と回転方向で切替え操作を行う回転機構部を設け、該プッシュプル機構部を電動パーキングブレーキ装置のスイッチとして設定し、該回転機構部を開閉装置のスイッチとして設定したものである。
【００２３】
上記構成によれば、一つの操作スイッチを軸方向のプッシュプル操作で電動パーキングブレーキ装置を操作し、回転方向の回転操作で開閉装置を操作することになる。
【００２４】
よって、デジタル的操作（ＯＮ／ＯＦＦ操作）で電動パーキングブレーキ装置を操作して、アナログ的操作（増減操作）で開閉装置を操作することになるため、乗員の操作感覚に合致した操作動作で装置の操作を行うことができる。
【００２５】
この発明の一実施態様においては、前記操作スイッチに、共に軸方向で切替え操作を行う第1プッシュプル機構部と第２プッシュプル機構部を設け、該第１プッシュプル機構部をパーキングブレーキ装置のスイッチとして設定し、該第２プッシュプル機構部を開閉装置のスイッチとして設定すると共に、第１プッシュプル機構部を押し下げて電動パーキングブレーキ装置のスイッチを作動状態とした場合に、第２プッシュプル機構部を操作できるように構成したものである。
【００２６】
上記構成によれば、第１プッシュプル機構部を操作することで電動パーキングブレーキ装置を操作して、第２プッシュプル機構部を操作することで開閉装置を操作する。そして、第１プッシュプル機構部を押し下げなければ、第２プッシュプル機構部を操作することができないため、電動パーキングブレーキ装置を作動しなければ、開閉装置を操作することができない。
【００２７】
よって、必ず電動パーキングブレーキ装置を先に作動させてから開閉装置を操作することになるため、停車状態が確実に保持されて開閉体の操作を行うことになり安全性を向上できる。
【００２８】
この発明の一実施態様においては、前記開閉体を、車両後部に配置され電動開閉されるドア又はリッド部材としたものである。
【００２９】
上記構成によれば、開閉体が車両後部に配置されるドア又はリッド部材であることで、特に運転者等の乗員が目視しにくい場所のドア又はリッド部材の開閉操作の安全性を、前述の操作スイッチの設定によって確実に向上することができる。
【００３０】
この発明の一実施態様においては、ドアの開閉を行うドア開閉装置と、フューエルリッドの開閉を行うフューエルリッド開閉装置とを備え、前記ドア開閉装置を操作するスイッチと前記フューエルリッド開閉装置を操作するスイッチとを一つの操作スイッチで構成し、該ドア開閉装置を操作するスイッチとフューエルリッド開閉装置を操作するスイッチのうち、一方を操作した場合には、他方を操作できないように設定したものである。
【００３１】
上記構成によれば、一つの操作スイッチでドア開閉装置とフューエルリッドオープナー装置を操作することができ、一方の装置を操作した場合には他方の装置を操作するできない。このため、ドア開閉装置とフューエルリッドオープナー装置が同時に操作されないため、ドアとフューエルリッドが同時に開放して干渉するおそれがなくなり、操作ミスによる破損を防ぐことができる。
【発明の効果】
【００３２】
この発明によれば、一つの操作スイッチで電動パーキングブレーキ装置と開閉装置を操作できるため、車両停車直後に二つの装置の操作を一つの操作スイッチで行うことができる。
【００３３】
よって、乗員は電動パーキングブレーキ装置の作動状態を認識しつつ、容易に二つの装置の操作を行うことができるため、乗員に不安感を与えることなく、複数の電動装置の操作作業を容易に行うことができる。
【発明を実施するための最良の形態】
【００３４】
この発明の実施例を以下図面に基づいて詳述する。
【００３５】
（第１実施例）  
まず、本実施例のスイッチ構造の全体構造について図１〜図４により説明する。図１は本実施例のスイッチ構造をインストルメントパネルに設置した状態を示した図、図２はその設置されたスイッチ構造の（ａ）詳細平面図と（ｂ）キー溝の展開図、図３は図２のＡ−Ａ矢視断面図、図４はスイッチ構造の作動状態及びキー溝内でのキー部の変化を示した作用図である。
【００３６】
本実施例のスイッチ構造は、図１に示すように運転席側のインストルメントパネル１の側部下方に設置し、運転者（乗員）が車両停車直後に容易に操作できるように設定している。丸いスイッチが本実施例の操作スイッチ２で、長方形の２つのスイッチが後席のリアサイドドアのスライド開閉を操作するパワースライドドア開閉スイッチ３である。
【００３７】
図２（ａ）に示すように、本実施例の操作スイッチ２は、円筒状のベース体２１に円柱状の可動体２２を挿通させることで構成している。可動体の上面２２ａには乗員が押圧操作しうるように『Ｐｕｓｈ  ＯＮ／ＯＦＦ』との表示を記載し、ベース体の表面２１ａには乗員が可動体の回動位置を判別しうるように『ＰＳＤ  Ｍａｉｎ  ＳＷ』『ＥＰＢ』『Ｆｕｅｌ』の位置に対応した位置表示を記載している。
【００３８】
なお、ＰＳＤとはパワースライドドア装置の略称、ＥＰＢとは電動パーキングブレーキ装置の略称、Ｆｕｅｌとはフューエルリッドオープナーの略称である。
【００３９】
前述の可動体２は、図３に示すように大径の操作ノブ部２２ｂと、小径の挿通部２２ｃと、挿通部の中央で側方に延びるキー部２２ｄからなる。
【００４０】
大径の操作ノブ部２２ｂは、乗員から押圧及び回転操作を受けるように設定し、電動パーキングブレーキ装置４やパワースライドドア装置５、フューエルリッドオープナー６（図５参照）の操作信号を送る入力手段として構成している。
【００４１】
小径の挿通部２２ｃは、円筒状のベース体２１内部に軸方向にスライド自在且つ回転方向に回動自在に挿通され、操作ノブ部２２ｂからの操作を後述の各接点にキー部２２ｄを介して伝達するように構成している。そして、この挿通部２２ｃの下方にはスプリング材２３が配置され、挿通部２２ｃを上方に付勢するように構成している。
【００４２】
キー部２２ｄは、挿通部２２ｃの側面に円柱形状に形成し、ベース体２１に凹設されたキー溝２４に係合し、可動体２２の動きを規制している。
【００４３】
前述のベース体２１は、前述の挿通部２２ｃを挿通する筒内空間部２５と筒内壁に凹設したキー溝２４を備える。
【００４４】
筒内空間部２５は、前述のように挿通部２２ｃをスライド且つ回動可能に挿通する径に設定し、その底部２５ａには電動パーキングブレーキのスイッチ接点２６を設置している。このスイッチ接点２６は、前述の挿通部２２ｃから押圧されると電動パーキングブレーキ装置４を作動するＯＮ信号を送信するように設定している。
【００４５】
キー溝２４は、図２（ｂ）に示すように内部にキー部２２ｄが移動しうる幅で、筒内壁に逆Ｔ字状に形成される。上下方向に延びる上下方向溝２４ａが可動体２２を軸方向に案内するプッシュプル機構部を構成し、水平方向に延びる水平方向溝２４ｂが回転方向に案内する回転機構部を構成している。
【００４６】
そして、各溝の端部には各電動装置に操作信号を送信する接点を設置し、上下方向溝２４ａの上端には電動パーキングブレーキ４の解除信号を送信する接点２７、水平方向溝２４ｂの左端にはフューエルリッドオープナーの作動信号を送信する接点２８、水平方向溝２４ｂの左端にはパワースライドドア装置の作動許可信号を送信する接点２９を設置している。
【００４７】
一方、前述のパワースライドドア開閉スイッチ３は、所謂シーソー式のスイッチ機構で構成し、中央に『ＬＨ』と記載したものが右側ドア用の開閉スイッチ３１、『ＲＨ』と記載したものが左側ドア用の開閉スイッチ３２としている。これら開閉スイッチ３１、３２は共に乗員が『Ｏｐｅｎ』と記載した側を押圧すると、シーソーのように中央の水平軸を中心にして上側が後方に押し込まれて開信号を出力する。また、『Ｃｌｏｓｅ』と記載した側を押圧すると水平軸を中心にして下側が後方に押し込まれて閉信号を出力する。
【００４８】
本実施例の操作スイッチ２の作動は、図４に示すように、（ａ）の非作動状態、（ｂ）の電動パーキングブレーキ装置作動状態、（ｃ）のフューエルリッドオープナー作動状態、（ｄ）のパワースライドドア装置作動状態とからなる。
【００４９】
まず、（ａ）の非作動状態は、可動体２２がベース体２１から突出した状態で電動パーキングブレーキ装置等の電動装置が作動していない状態であり、キー部２２ｄもキー溝２４の上下方向溝２４ａの上端に位置している。
【００５０】
次に、（ｂ）の電動パーキングブレーキ装置作動状態は、可動体２２を押圧して電動パーキングブレーキ装置を作動した状態（図３（ｂ）参照）であり、キー部２２ｄはキー溝２４の上下方向溝２４ａの下端に位置している。
【００５１】
また、（ｃ）のフューエルリッドオープナー作動状態は、可動体２２を押圧状態で右回りに回転してフューエルリッドオープナーを作動させた状態であり、キー部２２ｄはキー溝２４の水平方向溝２４ｂの左端に位置している。
【００５２】
最後に、（ｄ）のパワースライドドア装置作動状態は、可動体２２を押圧状態で左回りに回転してパワースライドドア装置の作動を許可した状態であり、キー部２２ｄはキー溝２４の水平方向溝２４ｂの右端に位置している。
【００５３】
乗員は操作スイッチを上記４つの状態に切替え操作することで、電動パーキングブレーキ装置４、パワースライドドア装置５、フューエルリッドオープナー６といった３つの電動装置を操作することになる。
【００５４】
次に、本実施例の操作スイッチを用いた制御システム及び操作方法について、図５、図６を用いて説明する。図５はシステムブロック図、図６はスイッチ操作の流れを示すフローチャートである。
【００５５】
本実施例の制御システムは、図５に示すように、入力手段として、パーキングブレーキスイッチ７、パワースライドドアスイッチ８、フューエルリッドスイッチ９を備える。これらスイッチは、前述の接点２６〜２９、３１、３２によって構成される。
【００５６】
また、スイッチ信号の処理手段として、車両に搭載されたＣＰＵ（中央処理装置）１０を備え、前述のスイッチ類７〜９から送信された操作信号を処理して、後述の出力手段に制御信号を出力する。
【００５７】
さらに、この制御信号をうけて出力を行う出力手段として、電動パーキングブレーキ装置４、パワースライドドア装置５、フューエルリッドオープナー６を備え、それぞれ制御信号を受て所定の出力を行う。
【００５８】
このように構成された制御システムにおいて、本実施例の操作スイッチ２の操作方法は、図６のフローチャートに示すように、まずＳ1で乗員が可動体２２を押圧することで、Ｓ２で電動パーキングブレーキ装置４が作動する（図４（ｂ）の状態）。
【００５９】
この後、Ｓ３で乗員が可動体２２を右回しすれば、Ｓ４でフューエルリッドオープナー６が作動する（図４（ｃ）の状態）。そして、Ｓ５で可動体２２は図示しないスプリングで中央位置に付勢されているため中央位置に戻り、スイッチ操作は終了する。
【００６０】
一方、Ｓ６で乗員が可動体２２を左回しすれば、Ｓ７でパワースライドドア装置５のメインスイッチがＯＮとなり、パワースライドドア装置５の作動が許容される（図４（ｄ）の状態）。その後、Ｓ８でパワースライドドアの開閉操作をパワースライドドア開閉スイッチ３で行い、スイッチ操作は終了する。
【００６１】
以上の流れで本実施例のスイッチ操作を行うが、本実施例の操作スイッチ２の場合には、パワースライドドア装置５の作動やフューエルリッドオープナー６の作動の前に、必ず電動パーキングブレーキ装置４を作動させなければならない。
【００６２】
このため、確実に電動パーキングブレーキ装置４を作動させた上で、ドアのスライド開閉やフューエルリッドの開閉を行うことになり、安全性を向上することができる。
【００６３】
また、車両発進時等では、操作スイッチ２は逆に操作することにより、電動パーキングブレーキ装置４は解除される。すなわち、パワースライドドア装置５のメインスイッチをＯＦＦにした上で、電動パーキングブレーキ装置４を解除するという操作を行うことになる。
【００６４】
このような操作を行うことで、パワースライドドア装置５の操作を禁止した上で電動パーキングブレーキ装置４の解除が行われる。よって、ドアが開状態でパーキングブレーキが解除されることなく安全性を向上できる。
【００６５】
次に、以上のように構成した本実施例のスイッチ構造の作用及び効果について、詳述する。
【００６６】
このように本実施例のスイッチ構造は、車両停車時に乗員の操作で車両に制動をかける電動パーキングブレーキ装置４と、車体に設けたドアの開閉動作を制御するパワースライドドア装置５とを備え、前記電動パーキングブレーキ装置４を操作するスイッチと前記パワースライドドア装置５を操作するスイッチとを一つの操作スイッチ２で構成したものである。
【００６７】
すなわち、一つの操作スイッチ２で電動パーキングブレーキ装置４とパワースライドドア装置５とを操作できるようにしたものである。
【００６８】
上記構成によれば、一つの操作スイッチ２で電動パーキングブレーキ装置４とパワースライドドア装置５を操作できるため、車両停車直後にこれら二つの装置の操作を一つの操作スイッチ２で行うことができる。
【００６９】
よって、乗員は電動パーキングブレーキ装置４の作動状態を認識しつつ、容易に二つの装置の操作を行うことができるため、乗員に不安感を与えることなく、複数の電動装置の操作を容易に行うことができる。
【００７０】
また、本実施例のスイッチ構造は、前記電動パーキングブレーキ装置４のスイッチを作動状態とした場合に、前記パワースライドドア装置５のスイッチを操作できるように構成したものである。
【００７１】
上記構成によれば、電動パーキングブレーキ装置４のスイッチを作動状態にしなければ、パワースライドドア装置５のスイッチを操作することができないため、電動パーキングブレーキ装置４を作動させた状態でのみ、パワースライドドア装置５を操作することになる。
【００７２】
よって、車両停車直後に電動パーキングブレーキ装置４とパワースライドドア装置５を操作する場合、必ず電動パーキングブレーキ装置４を先に作動させてからパワースライドドア装置５を操作することになるため、停車状態が確実に保持されてからドアの開閉操作を行うことになり安全性を向上できる。
【００７３】
また、本実施例のスイッチ構造は、前記パワースライドドア装置５の操作を禁止した場合に、前記電動パーキングブレーキ装置４のスイッチを操作できるように構成したものである。
【００７４】
上記構成によれば、パワースライドドア装置５の操作を禁止しなければ、電動パーキングブレーキ装置４のスイッチを操作できないため、パワースライドドア装置５が動かない状態でのみ電動パーキングブレーキ装置４を操作することになる。
【００７５】
よって、車両発車時等に電動パーキングブレーキ装置４とパワースライドドア装置５とを操作する場合には、必ずパワースライドドア装置５を先に閉状態にしてから電動パーキングブレーキ装置４を操作することになるため、ドアが確実に閉じられてからパーキングブレーキの操作を行うことになり、安全性を向上できる。
【００７６】
また、本実施例のスイッチ構造は、前記操作スイッチ２に、軸方向で切替え操作を行う上下方向溝２４ａと回転方向で切替え操作を行う水平方向溝２４ｂを設け、上下方向溝２４ａで電動パーキングブレーキ装置４のスイッチを設定し、水平方向溝２４ｂでパワースライドドア装置５のスイッチを設定したものである。
【００７７】
上記構成によれば、一つの操作スイッチ２を軸方向のプッシュプル操作で電動パーキングブレーキ装置を操作し、回転方向の回転操作でパワースライドドア装置を操作することになる。
【００７８】
よって、デジタル的操作（ＯＮ／ＯＦＦ操作）で電動パーキングブレーキ装置４を操作して、アナログ的操作（増減操作）でパワースライドドア装置５を操作することになるため、乗員の操作感覚に合致した操作動作で装置の操作を行うことができる。
【００７９】
また、本実施例のスイッチ構造は、操作される開閉体を、車両後部に配置されるスライドドアや、フューエルリッドとしている。
【００８０】
上記構成によれば、開閉体が車両後部に配置されるスライドドアやフューエルリッドであることで、特に運転者等の乗員が目視しにくい場所のドアやリッドの開閉操作の安全性を確実に向上することができる。
【００８１】
また、本実施例のスイッチ構造は、一つの操作スイッチ２で、パワースライドドア装置５とフューエルリッドオープナー６を操作するように構成し、該パワースライドドア装置５を操作するスイッチとフューエルリッドオープナー６を操作するスイッチのうち、一方を操作した場合には、他方を操作できないように設定したものである。
【００８２】
上記構成によれば、一方の装置を操作した場合には他方の装置を操作するできない。このため、パワースライドドア装置５とフューエルリッドオープナー６が同時に操作されないため、ドアとフューエルリッドが同時に開放して干渉するおそれがなくなり、操作ミスによる破損を防ぐことができる。
【００８３】
（第２実施例）  
次に、第２実施例について図７〜図９により詳述する。図７は本実施例のスイッチ構造の（ａ）詳細平面図と（ｂ）キー溝の展開図、図８はスイッチ構造の作動状態及びキー溝内でのキー部の変化を示した作用図、図９は本実施例のスイッチ操作の流れを示すフローチャートである。なお、第１実施例と同様の構成については、同一の符号を付して説明を省略する。
【００８４】
本実施例の操作スイッチ４０は、第１実施例の操作スイッチ２の構成に加え、さらにパワースライドドア装置５の開閉スイッチ３の機能も加えたものである。すなわち、図７（ａ）に示すように、操作スイッチ４０のベース体４１には『ＰＳＤ  Ｍａｉｎ  ＳＷ』に加え、『ＰＳＤ  ＬＨ』と『ＰＳＤ  ＲＨ』の回動操作位置を設定している。
【００８５】
また、キー溝２４も図７（ｂ）に示すように、水平方向溝２４ｂの右端からさらに上方に延びる上下方向溝２４ｃと、その上下方向溝２４ｃに交差する水平方向溝２４ｄを形成して、この２つの溝で可動体２２をさらに操作できるように構成している。
【００８６】
このキー溝２４にも前述の第１実施例と同様に、接点を設置しており、上下方向溝の上端にはパワースライドドア装置の両側ドアの開閉信号を送信する接点４２、水平方向溝の左端にはパワースライドドア装置の右側ドアの開閉信号を送信する接点４３、水平方向溝の右端にはパワースライドドア装置の左側ドアの開閉信号を送信する接点４４を設置している。
【００８７】
このように接点を設定することで、キー部２２ｄをこの上下方向溝２４ｃ及び水平方向溝２４ｄを移行させて、パワースライドドア装置の開閉操作を行うことができる。
【００８８】
本実施例の操作スイッチ４０の作動は、図８に示すように、図４と同様に（ａ）の非作動状態、（ｂ）パワースライドドア装置作動状態を有し、さらに（ｃ）パワースライドドア装置片側開閉状態、（ｄ）パワースライドドア装置両側開閉状態とを有する。なお、図４に示した（ｂ）の電動パーキングブレーキ装置作動状態、（ｃ）のフューエルリッドオープナー作動状態も図示しないものの当然有する。
【００８９】
このうち、（ｃ）パワースライドドア装置片側開閉状態は、可動体２２を（ｂ）の状態から軸方向に引き上げた状態でさらに左右に回転させる状態であり、キー部２２ｄは前述の水平方向溝２４ｄの左右端に位置することになる（図は回転させる前の状態を示す）。
【００９０】
また、（ｄ）パワースライドドア装置両側開閉状態は、可動体２２をさらに軸方向に引き上げた状態で、キー部２２ｄは前述の上下方向溝２４ｃの上端に位置している。
【００９１】
乗員は、操作スイッチ４０を上記の状態に切替え操作することで、電動パーキングブレーキ装置４、パワースライドドア装置５、フューエルリッドオープナー６といった３つの電動装置を操作することになる。
【００９２】
次に、本実施例の操作スイッチ４０の操作方法について、図９のフローチャートで説明する。本実施例の操作スイッチ４０の操作方法も、第１実施例とＳ７まで全く同一でＳ１０以降のステップが異なるだけであるため、Ｓ１０から説明を行う。
【００９３】
本実施例の操作方法では、Ｓ１０で乗員が可動体２２を右回しすれば、Ｓ１１で右側ドアが開放する。また、Ｓ１２で乗員が可動体２２を引き上げれば、Ｓ１３で両側ドア転が開放する（図８（ｃ）参照）。さらに、Ｓ１４で乗員が可動体を左回しすれば、Ｓ１５で右側ドアが開放する。
【００９４】
このように、乗員が操作スイッチ４０を回転又は引き上げすることによりパワースライドドア装置５の開閉操作を行うことができる。
【００９５】
なお、ドアの閉操作については図示しないが、再度回転又は引き上げ操作を行うことにより、ドアの閉鎖を行うことができる。
【００９６】
本実施例のスイッチ構造によれば、第１実施例に比較してパワースライドドア装置５の開閉スイッチ３を廃止することができ、電動装置の操作の容易さをさらに向上することができる。また、インストルメントパネル１にスイッチを設定する場合には設置場所もコンパクトにできるため、レイアウト自由度を高めることができる。
【００９７】
また、その他の効果についても、第１実施例と同様の効果を奏する。
【００９８】
なお、同様の操作スイッチの構成を利用した他のパワースライドドア装置の開閉操作の方法として、１回の可動体の回転では少ししかドアがスライドしないが、２回連続して可動体を回転させればドアが全てスライドするといった方法や、回転量の大小でドアのスライド量が変化する方法なども考えられる。
【００９９】
（第３実施例）  
次に、第３実施例について図１０、図１１により詳述する。図１０は本実施例のスイッチ構造の詳細平面図、図１１は図１０のＢ―Ｂ矢視断面図で作動状態を説明する作用図である。
【０１００】
本実施例のスイッチ構造も一つの操作スイッチ５０で複数の電動装置を操作するものであるが、各スイッチを全て軸方向に移動させることにより切替え操作を行うプッシュプル式としたものである。
【０１０１】
まず、図１１に示すように、操作スイッチ５０は、ベース体５１と、上端に押圧面部が設けられた押圧ノブ体５２と、押圧面部の開口に嵌合する複数の押圧ボタン体５３からなる。
【０１０２】
前述のベース体５１には、押圧ノブ体５２及び押圧ボタン体５３を嵌合する複数の嵌合穴５４、５５…を形成し、この嵌合穴の底部にはそれぞれスプリング体５６を設置している。また、中央の嵌合穴５６には、第１実施例と同様に電動パーキングブレーキ装置のスイッチ接点５７を設置している。
【０１０３】
前述の押圧ノブ体５２には、その上面にパーキングブレーキのマークが記載され、この押圧ノブ体５２を押圧すれば、電動パーキングブレーキ装置４が作動する事を乗員に認識させている。
【０１０４】
また、前述の押圧ボタン体５３の上面にも『ＰＳＤ  ＬＨ』『ＰＳＤ  ＲＨ』『Ｆｕｅｌ』『ＰＴＧ』と記載され、それぞれの押圧ボタン体５３を押圧すれば、それそれの装置が作動することを乗員に認識させている。なおＰＴＧとはパワーテールゲートの略称である。
【０１０５】
図１１（ａ）に示す状態がこの操作スイッチ５０の非作動状態である。この状態から（ｂ）に示すように押圧ノブ体５２を押圧すると、押圧ノブ体５２のみが押し下げられ、電動パーキングブレーキ装置４が作動する。
【０１０６】
押圧ノブ体５２が押し下げられることで（ｂ）の状態に示すように各押圧ボタン体５３が相対的に突出することになる。このように突出することで各押圧ボタン体５３を押圧操作しうることになり、（ｃ）で示すように各押圧ボタン体５３を押圧操作できる。
【０１０７】
すなわち、この操作スイッチ５０でも、押圧ノブ体５２が操作されないと、他の押圧ボタン体５３が操作されないため、必ず電動パーキングブレーキ装置４を作動させた後に他の電動装置が操作されることになる。よって安全性を向上できる。
【０１０８】
さらに、（ｄ）に示すように押圧ノブ体５２の押圧状態を解除して電動パーキングブレーキ装置４を解除する場合には、同時に押圧ノブ体５２の側面に設けた突出爪５８が押圧ボタン体５３の係止爪５９を押し戻し、押圧ボタン体５３の係止状態を解除するため、押圧ボタン体５３も押圧状態が解除される。
【０１０９】
このように押圧ボタン体５３が同時に解除されることで、常に電動パーキングブレーキ装置４の非作動状態では、押圧ボタン体５３による電動装置の操作を行うことを禁止することができる。
【０１１０】
以上、本実施例のスイッチ構造では、前記操作スイッチ５０に、押圧ノブ体５２及び押圧ボタン体５２という２つのプッシュプル機構部を設け、押圧ノブ体５２を押し下げて電動パーキングブレーキ装置４のスイッチを作動状態とした場合に、押圧ボタン体５３を操作できるように構成したものである。
【０１１１】
上記構成によれば、押圧ノブ体５２を押し下げなければ、押圧ボタン体５３を操作することができないため、電動パーキングブレーキ装置４が作動しなければ、パワースライドドア装置５等を操作することができない。
【０１１２】
よって、必ず電動パーキングブレーキ装置４を先に作動させてからパワースライドドア装置５等を操作することになるため、停車状態が確実に保持されてドアの開閉操作等を行うことになり安全性を向上することができる。
【０１１３】
（第４実施例）  
次に、第４実施例について図１２、図１３により詳述する。図１２は本実施例のスイッチ構造の詳細平面図、図１３は作動状態を説明する作用図である。
【０１１４】
本実施例のスイッチ構造も一つの操作スイッチ６０で複数の電動装置を操作するものであるが、他の実施例とは異なり、電動パーキングブレーキ装置４の非作動時には、図１３（ａ）に示すようにインストルメントパネル１の表面と面一となり、作動時には、図１３（ｂ）に示すように逆に突出するものである。
【０１１５】
この操作スイッチ６０は、円柱半割形状の可動体６１と、一部切掛かれた円柱形状のベース体６２とからなり、可動体６１の上面には、パーキングブレーキのマーク６３及び回転位置を表示するマーキング６４が記載されている。
【０１１６】
この操作スイッチ６０は、電動パーキングブレーキ装置４の非作動時には図１３（ａ）に示すように可動体６１の上面がインストルメントパネル１の表面と面一となっている。すなわち、この状態でパワースライドドア装置５やフューエルリッドオープナー６等の電動装置を操作することはできない。
【０１１７】
そして、乗員が可動体６１を押圧すると（ｂ）に示すように可動体６４が上方に突出して電動パーキングブレーキ装置４が作動状態になる。よって、この状態を経て可動体６１は回転することが可能となる。
【０１１８】
この可動体を、（ｃ）や（ｄ）に示すように、左右に回転することで、パワースライドドア装置５やフューエルリッドオープナー６等の電動装置を操作することができる。
【０１１９】
このスイッチ構造によっても、一つの操作スイッチ６０で複数の電動装置を操作することが可能となり、また電動パーキングブレーキ装置４を作動しなければ、他の電動装置を操作することができないため、安全性を向上できる。
【０１２０】
（第５実施例）  
次に、第５実施例について図１４より詳述する。  
本実施例のスイッチ構造は、所謂手動変速機のシフトレバーと類似させた構造の操作スイッチ７０であり、略Ｈ字状に切り欠いたゲート溝７１の中をレバー体７２を移行させることで切替えを行うものである。
【０１２１】
本実施例の操作スイッチも『ＥＰＢ  Ｏｆｆ』の位置７３から『ＥＰＢ  Ｏｎ』の位置７４を経由しなければ、両端のゲート溝７４、７５に移行できないため、電動パーキングブレーキ装置４を作動しなければ、パワースライドドア装置５を操作できないといった効果を有する。
【０１２２】
また、一つの操作スイッチ７０で複数の電動装置を操作することが可能という効果も他の実施例同様に有する。
【０１２３】
（第６実施例）  
次に、第６実施例について図１５より詳述する。  
本実施例のスイッチ構造も、第５実施例同様、シフトレバーと類似させた構造の操作スイッチ８０であり、切り欠いたゲート溝８１の中をレバー体８２を移行させることで切替えを行うものである。
【０１２４】
もっとも、第６実施例の場合、レバー体８２を一度回転させて、『ＥＰＢ  Ｏｎ』の位置８３に設定しなければ、レバー体を移行できないように構成している。
【０１２５】
このように構成することで、本実施例も電動パーキングブレーキ装置４を作動しなければ、パワースライドドア装置５等の電動装置を操作できないといった効果を有する。
【０１２６】
また、一つの操作スイッチ８０で複数の電動装置を操作することが可能という効果も他の実施例同様有する。
【０１２７】
以上、この発明の構成と、前述の実施例との対応において、
この発明の開閉装置はパワースライドドア装置５及びフューエルリッドオープナー６に対応し、
以下同様に、
プッシュプル機構部は上下方向溝２４ａに対応し、
回転機構部は水平方向溝２４ｂに対応するも、
この発明は、前述の実施例の構成のみに限定されるものではない。
【図面の簡単な説明】
【０１２８】
【図１】本発明のスイッチ構造をインストルメントパネルに設置した状態図。
【図２】スイッチ構造の（ａ）詳細平面図と（ｂ）キー溝の展開図。
【図３】図２のＡ−Ａ矢視断面図。
【図４】スイッチ構造の作動状態及びキー溝内のキー部変化状態の作用図。
【図５】システムブロック図。
【図６】スイッチ操作の流れを示すフローチャート。
【図７】第２実施例のスイッチ構造の（ａ）詳細平面図と（ｂ）キー溝の展開図。
【図８】スイッチ構造の作動状態及びキー溝内のキー部変化状態の作用図。
【図９】スイッチ操作の流れを示すフローチャート。
【図１０】第３実施例のスイッチ構造の詳細平面図。
【図１１】図１０のＢ―Ｂ矢視断面図で作動状態を説明する作用図。
【図１２】第４実施例のスイッチ構造の詳細平面図。
【図１３】スイッチ構造の作動状態を説明する作用図。
【図１４】第５実施例のスイッチ構造の斜視図。
【図１５】第６実施例のスイッチ構造の斜視図。
【符号の説明】
【０１２９】
４…電動パーキングブレーキ装置
５…パワースライドドア装置
６…フューエルリッドオープナー
２、４０、５０、６０、７０、８０…操作スイッチ
【図１】
2005112163.tif 000003
【図２】
2005112163.tif 000004
【図３】
2005112163.tif 000005
【図４】
2005112163.tif 000006
【図５】
2005112163.tif 000007
【図６】
2005112163.tif 000008
【図７】
2005112163.tif 000009
【図８】
2005112163.tif 000010
【図９】
2005112163.tif 000011
【図１０】
2005112163.tif 000012
【図１１】
2005112163.tif 000013
【図１２】
2005112163.tif 000014
【図１３】
2005112163.tif 000015
【図１４】
2005112163.tif 000016
【図１５】
2005112163.tif 000017